(57)【要約】【課題】栽培したい作物の種類に対応した好ましいサイズの栽培床を形成することができる栽培容器、前記栽培容器を用いて形成される栽培床、および前記栽培を用いた栽培装置を提供する。【解決手段】栽培用の培土を収容する栽培容器であって、多角形の床、および床の各辺に設けられた側壁を備え、少なくとも１つの側壁が、床との成す角度が変更可能なように床に設けられている栽培容器。床が、略四角形である栽培容器。床の相対向する一対の側壁が、床との成す角度が変更可能なように床に設けられている栽培容器。上記の栽培容器に培土が収容されている栽培床。上記の栽培床、および栽培床に液体肥料を供給する灌水装置を備えている栽培装置。【選択図】図３
2014075990.tif 000002
【特許請求の範囲】
【請求項１】
栽培用の培土を収容する栽培容器であって、
多角形の床、および前記床の各辺に設けられた側壁を備え、
少なくとも１つの前記側壁が、前記床との成す角度が変更可能なように前記床に設けられていることを特徴とする栽培容器。
【請求項２】
前記床が、略四角形であることを特徴とする請求項１に記載の栽培容器。
【請求項３】
前記床の相対向する一対の前記側壁が、前記床との成す角度が変更可能なように前記床に設けられていることを特徴とする請求項２に記載の栽培容器。
【請求項４】
前記床が、略長方形であり、
前記床の長辺側に設けられた側壁が、前記床との成す角度が変更可能なように前記床に設けられていることを特徴とする請求項２に記載の栽培容器。
【請求項５】
略四角形の床、前記床の３辺に設けられた側壁を有する第１容器部材および第２容器部材を備え、
前記第１容器部材と第２容器部材とは、互いの床同士および各容器部材の対向する側壁同士が嵌合されており、
嵌合された前記第１容器部材と第２容器部材を相互にスライドさせることにより、前記床の幅が変更できるように構成されている
ことを特徴とする請求項２に記載の栽培容器。
【請求項６】
略長方形の床、前記床の短辺側に設けられた１対の側壁、および一方の長辺側に設けられた側壁を有する第１容器部材および第２容器部材を備え、
前記第１容器部材と第２容器部材とは、互いの床同士および短辺側に設けられた側壁同士が嵌合されており、
嵌合された前記第１容器部材と第２容器部材を相互にスライドさせることにより、前記床の幅が変更できるように構成されている
ことを特徴とする請求項４に記載の栽培容器。
【請求項７】
請求項１ないし請求項６のいずれか１項に記載の栽培容器に培土が収容されていることを特徴とする栽培床。
【請求項８】
前記培土が、砂土または砂状の人工培土であることを特徴とする請求項７に記載の栽培床。
【請求項９】
請求項７または請求項８に記載の栽培床、および前記栽培床に液体肥料を供給する灌水装置を備えていることを特徴とする栽培装置。
【発明の詳細な説明】
【技術分野】
【０００１】
本発明は、栽培容器、栽培床および栽培装置に関し、詳しくは幅および深さを調節することができる栽培容器、前記栽培容器を用いて形成される栽培床、および前記栽培床を用いた栽培装置に関する。
【背景技術】
【０００２】
近年、施設園芸栽培では従来の土耕栽培に替わり、培地を地面（土壌）から隔離して作物を栽培する養液栽培等の栽培方法が多く用いられている。
【０００３】
上記した養液栽培による植物栽培法の１つに、サンドポニックス式砂栽培システムのように、砂土または砂状の人工培土を用いた栽培方法がある（例えば特許文献１、特許文献２）。
【０００４】
このような栽培方法は、病原菌に感染しにくいという水耕栽培には無い利点があり、基本的に無農薬栽培に適している。
【０００５】
また、砂土が培地中に空隙を形成するため、作物に必要な養水分を十分に保持することができると共に、作物根に十分な酸素を供給することができる。この結果、作物根は過湿害を受けることがなく、培地の根圏部分を酸素十分な状態とすることができる。
【０００６】
そして、栽培に必要な微量成分を砂から得ることができるため、水耕栽培のように完全培養液を必要とせず、窒素、リン酸、カリウムの三要素を含む養水分を与えるだけでよい。
【０００７】
そして、培土である砂土は、水洗することにより繰り返し使用しても連作障害を発生することがなく、また、微量成分量に変化がないため、長期間にわたり使用できる。
【０００８】
以上のような特徴を有する上記の栽培方法は、各種いも類、ラディッシュ、小カブ等の根菜類、トマト、ナス、メロン等の果菜類、小松菜、ホウレン草、レタス、青梗菜等の葉菜類のいずれに対しても適用することができるため、年間を通じて、季節に応じた作物を栽培することができる。
【０００９】
そして、上記の栽培方法において、従来は、これらの作物を栽培する栽培床として、幅、厚み（砂厚）、長さが固定された栽培床が用いられていた。具体的には、厚みは、養水を十分に保持することができると共に、培地の上層部分と下層部分とにおける水分量をほぼ等しくできるように、７ｃｍ程度に設定されていた。そして、幅は、培地を摺りきりの状態で栽培容器に収納したときの幅が６０ｃｍ程度となるように設定されていた。また、長さは約３０ｍに設定されていた。
【先行技術文献】
【特許文献】
【００１０】
【特許文献１】特開平８−３７９６６号公報
【特許文献２】特開平１０−３１３６８６号公報
【発明の概要】
【発明が解決しようとする課題】
【００１１】
しかしながら、本発明者が、種々の実験を行ったところ、根菜類、果菜類、葉菜類を栽培するに際して、栽培床として好ましいサイズがそれぞれ異なっていることが分かった。
【００１２】
例えば、根菜類の場合には、幅３６ｃｍ、厚み１４ｃｍ程度のサイズの栽培床が好ましい。このようなサイズの栽培床を用いることにより、地下茎や根を培地中で十分に成長させることができる。
【００１３】
これに対して、果菜類の場合には、幅３６ｃｍ、厚み７ｃｍ程度のサイズの栽培床が好ましい。このようなサイズの栽培床を用いることにより、灌水量が低減されて果菜類にとって好ましい節水栽培を行うことができる。
【００１４】
また、葉菜類の場合には、幅６０ｃｍ、厚み７ｃｍ程度のサイズの栽培床が好ましい。このようなサイズの栽培床を用いることにより、培地表面に葉を広く成長させることができる。
【００１５】
以上のように、作物の種類によって栽培床のサイズを変更することが好ましいことが分かったが、異なるサイズの栽培床を準備することは煩雑でありコストも掛かるため、１種類の栽培床で、栽培したい作物の種類に対応した好ましいサイズの栽培床に適宜変更することが可能な栽培床が求められていた。また、きのこ類を栽培する場合にも同様の問題があり、きのこ類の種類に対応した好ましいサイズの栽培床が求められていた。
【００１６】
なお、上記においては、培土として砂土を用いている場合を例に挙げて説明したが、砂土以外の培土を用いる場合にも同様の問題があった。
【００１７】
そこで本発明は、栽培したい作物の種類に対応した好ましいサイズの栽培床を形成することができる栽培容器、前記栽培容器を用いて形成される栽培床、および前記栽培を用いた栽培装置を提供することを課題とする。
【課題を解決するための手段】
【００１８】
本発明者は、鋭意検討の結果、以下の各請求項に示す発明により、上記の課題が解決できることを見出し、本発明を完成するに至った。
【００１９】
請求項１に記載の発明は、
栽培用の培土を収容する栽培容器であって、
多角形の床、および前記床の各辺に設けられた側壁を備え、
少なくとも１つの前記側壁が、前記床との成す角度が変更可能なように前記床に設けられていることを特徴とする栽培容器である。
【００２０】
本請求項の発明においては、栽培容器の床と側壁との成す角度が変更できるように構成されているため、表面の幅と厚みが異なる栽培床を自由に形成することができる。
【００２１】
このように、１種類の栽培容器を用いて側壁の角度を変化させるだけで、栽培したい作物の種類に対応した好ましいサイズの栽培床を自由に形成することができるため、異なるサイズの栽培床を準備する煩雑さやコストの上昇を抑制することができる。
【００２２】
請求項２に記載の発明は、
前記床が、略四角形であることを特徴とする請求項１に記載の栽培容器である。
【００２３】
多角形の中でも略四角形の栽培容器は、より容易に栽培床のサイズを変化させることができるため好ましい。略四角形の中でも、正方形、長方形がより好ましい。
【００２４】
なお、略四角形とは幾何学的に正確な四角形であることに限定されず、コーナー部に面取り部がある場合等を含むことを意味する。
【００２５】
請求項３に記載の発明は、
前記床の相対向する一対の前記側壁が、前記床との成す角度が変更可能なように前記床に設けられていることを特徴とする請求項２に記載の栽培容器。
【００２６】
略四角形の床の相対向する一対の側壁が、床との成す角度が変更可能なように床に設けられているため、栽培容器の表面の幅と、厚みとを効率的に調節することができる。
【００２７】
請求項４に記載の発明は、
前記床が、略長方形であり、
前記床の長辺側に設けられた側壁が、前記床との成す角度が変更可能なように前記床に設けられていることを特徴とする請求項２に記載の栽培容器である。
【００２８】
略長方形の床の場合、長辺側の側壁の角度を変化させていることが好ましい。これは、短辺側の角度を変化させたときに比べて、幅と厚みを大きく変化させることができるからであり、栽培床の好ましいサイズが大きく異なる根菜類、果菜類、葉菜類であっても、１種類の栽培容器で容易に対応することができる。
【００２９】
請求項５に記載の発明は、
略四角形の床、前記床の３辺に設けられた側壁を有する第１容器部材および第２容器部材を備え、
前記第１容器部材と第２容器部材とは、互いの床同士および各容器部材の対向する側壁同士が嵌合されており、
嵌合された前記第１容器部材と第２容器部材を相互にスライドさせることにより、前記床の幅が変更できるように構成されている
ことを特徴とする請求項２に記載の栽培容器である。
【００３０】
本請求項の発明においては、上記した栽培容器の略四角形の床と側壁との成す角度が変更できる栽培容器を、さらに、互いに嵌合された第１および第２の容器部材を相互にスライドさせることにより、床の幅が変更できるように構成しているため、表面の幅と厚みが異なる栽培床をより自由度高く形成することができ、より多くの作物に適したサイズの栽培床にきめ細かく対応することができる。
【００３１】
請求項６に記載の発明は、
略長方形の床、前記床の短辺側に設けられた１対の側壁、および一方の長辺側に設けられた側壁を有する第１容器部材および第２容器部材を備え、
前記第１容器部材と第２容器部材とは、互いの床同士および短辺側に設けられた側壁同士が嵌合されており、
嵌合された前記第１容器部材と第２容器部材を相互にスライドさせることにより、前記床の幅が変更できるように構成されている
ことを特徴とする請求項４に記載の栽培容器である。
【００３２】
本請求項の発明においては、上記した栽培容器の床と長辺側の側壁との成す角度が変更できる栽培容器を、さらに、互いに嵌合された第１および第２の容器部材を相互にスライドさせることにより、床の幅が変更できるように構成しているため、表面の幅と厚みが異なる栽培床をより自由度高く形成することができ、より多くの作物に適したサイズの栽培床にきめ細かく対応することができる。
【００３３】
請求項７に記載の発明は、
請求項１ないし請求項６のいずれか１項に記載の栽培容器に培土が収容されていることを特徴とする栽培床である。
【００３４】
前記した栽培容器は、表面の幅や厚みを自由に変更することができる栽培容器であるため、このような栽培容器に培土を摺りきりに収容するのみで、栽培したい作物の種類に対応した好ましいサイズの栽培床を容易に自由に形成して提供することができる。
【００３５】
請求項８に記載の発明は、
前記培土が、砂土または砂状の人工培土であることを特徴とする請求項７に記載の栽培床である。
【００３６】
本発明において用いられる培土としては、特に限定されないが、砂土や砂状の人工培土は、前記したように、培地中に空隙を形成するため、作物に必要な養水分を十分に保持することができると共に、作物根に十分な酸素を供給することができ、作物根は過湿害を受けることがなく、培地の根圏部分を酸素十分な状態とすることができるため好ましい。
【００３７】
また、砂土や砂状の人工培土は、水洗することにより繰り返し使用しても連作障害を発生することがなく、また、微量成分量に変化がないため、長期にわたり使用できる。
【００３８】
このような砂土や砂状の人工培土を培土として用い、年間を通して種々の作物を栽培する場合に、本発明の効果を顕著に発揮させることができる。
【００３９】
請求項９に記載の発明は、
請求項７または請求項８に記載の栽培床、および前記栽培床に液体肥料を供給する灌水装置を備えていることを特徴とする栽培装置である。
【００４０】
本請求項の発明においては、１種類の栽培容器を用いて、種々の作物のそれぞれに適したサイズの栽培床を提供することができるため、栽培床に液体肥料を供給する灌水装置と組み合わせることにより、年間を通じて季節に応じた作物を、根菜類、果菜類、葉菜類、の区別なく、効率的に栽培することができる。また、きのこ類についても同様に効率的に栽培することができる。
【発明の効果】
【００４１】
本発明によれば、栽培したい作物の種類に対応した好ましいサイズの栽培床を形成することができる栽培容器、前記栽培容器を用いて形成される栽培床、および前記栽培を用いた栽培装置を提供することができる。
【図面の簡単な説明】
【００４２】
【図１】本発明の一実施の形態の栽培床の概要を模式的に示す斜視図である。
【図２】本発明の一実施の形態の栽培床の形状を模式的に示す横断面図である。
【図３】本発明の一実施の形態の栽培床を模式的に示す斜視図であって、（ａ）図は根菜類を、（ｂ）図は葉菜類を栽培している状態を示す図である。
【図４】本発明の一実施の形態の栽培容器の側壁と床の成す角度を調節する調節機構を説明する図である。
【図５】本発明の一実施の形態の栽培容器の側壁と床の成す角度を調節する他の調節機構を説明する図である。
【図６】本発明の根菜類と葉菜類の２種類の作物の栽培に好適な栽培床の栽培容器の構造を模式的に示す側面図である。
【図７】本発明の他の実施の形態の栽培床の栽培容器の構造を模式的に示す側面図である。
【図８】本発明の一実施の形態の栽培装置の構成を模式的に示す斜視図である。
【発明を実施するための形態】
【００４３】
以下、本発明を実施の形態に基づいて説明する。なお、本実施の形態においては、具体例として床が長方形の栽培容器について説明する。
【００４４】
［１］  栽培床
＜１＞第１の実施の形態
本実施の形態の栽培床は、床の幅が固定されており、床の長辺側に設けられた側壁と床との成す角度が可変であり、角度を任意の角度に調節できる栽培容器を備える栽培床である。
【００４５】
１．概要
はじめに、栽培床の概要を説明する。図１は本実施の形態の栽培床の概要を模式的に示す図であり、１は栽培床、２は栽培容器であり、栽培容器２には培土３が収容されている。栽培容器２は、長方形の床２ａ、床２ａの長辺側に設けられた側壁２ｂ、短辺側に設けられた側壁２ｃとを備えている。また、栽培容器２は後記する隔離手段により地面（土壌）から隔離されている。
【００４６】
床２ａは目の粗い金属網などの網により構成されており、栽培容器２の内側には例えばベッドクロスと称する布製の目の細かいメッシュが張り巡らされており、培土３は摺りきり状態でメッシュの内側に収納されている。
【００４７】
側壁２ｂの底部には、床２ａとの成す角度θが直角以上の任意の角度に変えられるように例えば蝶番（図示省略）が取り付けられている。そして、側壁２ｂを外側に傾けることにより培土３の表面の幅と厚みを好適な寸法に調整することができる。
【００４８】
図２は栽培床の形状を模式的に示す横断面図であり、図２（ａ）に示す角度θを９０°を図２（ｂ）に示すように９０度より大きくすることにより、培土３の表面の幅を大きくすると共に厚みを小さくすることができる。
【００４９】
これにより、図３（ａ）と図３（ｂ）に示すように、一つの栽培床１で、例えば１列に植栽され幅が狭くて厚みが大きい根菜類に適した栽培床（培土の厚みが厚く地下茎の栽培に適当な栽培床）と、３列に植栽され幅が広くて厚みが小さい葉菜類に適した培地（培土の厚みが薄く栽培できる面積が広い栽培床）の両方に対応することができる。
【００５０】
２．栽培容器の側壁の角度調節
（１）角度調節機構
側壁２ｂと床２ａとの成す角度は、例えば図４、図５に示す方法によって所定の角度となるように調節される。図４、図５は栽培容器の側面図であって側壁２ｂの角度調節機構を説明する図である。なお、図４、図５において５１は栽培床を地面（土壌）から隔離する隔離手段である架台である。
【００５１】
図４に示す例では、対向する両側の側壁２ｂの上端同士をワイヤー２１で結び、ワイヤー２１の長さを調節することにより側壁２ｂと床２ａとの成す角度θを調節する。
【００５２】
図５に示す例では、栽培容器２の外側に長さを自由に変えることができる支柱３１を設け、支柱３１の上端を側壁２ｂの上端に連結させておき、支柱３１の長さを調節することにより側壁２ｂと床２ａとの成す角度θを調節する。
【００５３】
（２）角度調節例
次に、根菜類と葉菜類の２種類の作物の栽培に好適なように培土の幅と厚みを変えた例について図６により具体的に説明する。
【００５４】
図６（ａ）は根菜類を栽培するときの栽培床の形状を示す側面図であり、床２ａの幅は３６ｃｍであり、側壁２ｂと床２ａとの成す角度θは９０°であり、長辺側、短辺側それぞれの側壁２ｂ、２ｃの高さはいずれも１４ｃｍである。培地は栽培容器２に摺りきりの状態で収容されており、上記幅は３６ｃｍ、厚みは１４ｃｍである。
【００５５】
一方、葉菜類を栽培するときには図６（ｂ）に示すように両方の長辺側の側壁２ｂと床２ａとの成す角度θを共に１５０°にし、培地を側壁２ｂに対して摺りきりの状態にする。これにより表面の幅が約６０ｃｍ、厚みが７ｃｍと葉菜類の栽培に好適な培土になる。なお、側壁２ｂを傾斜させたときに栽培容器の４角に隙間ができるが、メッシュが張り巡らされているため培土が漏れ出ることはない。
【００５６】
３．培土
培土の種類は特に限定されることはないが、砂、もしくは砂状の人工培土が好ましく用いられ、砂には大きさが２８〜１００メッシュ程度の砂、所謂土木建築に広く用いられている細目砂や、サンゴ砂等との混合物が好ましい。培土は摺りきりにしてよく締めて充填され、孔隙率が３０〜４０％で通気、通水性が良く、過湿防止、酸素供給に好適な構造にすることが好ましい。
【００５７】
＜２＞第２の実施の形態
本実施の形態は、栽培容器が幅方向に分割された２つの部材（容器部材）を嵌合させて形成されており、２つの容器部材を相互にスライドさせることにより、床および短辺側の側壁の長さが可変である栽培容器が用いられた実施の形態である。
【００５８】
図７は本実施の形態の栽培床の栽培容器の構造を模式的に示す側面図であり、栽培容器４１は第１容器部材４２と第２容器部材４３により構成されている。第１容器部材４２と第２容器部材４３は、概略図１の栽培容器２を相対向する短辺側の側壁２ｃの中央部で２分割した構造を有しており、第２容器部材４３は、第１容器部材４２の内側に嵌合することができるように第１容器部材４２より少し小さい寸法に作製されており、第１容器部材４２と第２容器部材４３とは、それぞれの床４２ａと４３ａおよび短辺側に設けられた側壁４２ｃと４３ｃとが重なるように、また長辺側に設けられた側壁４２ｂと４３ｂとが対向するように嵌合されている。
【００５９】
第１容器部材４２と第２容器部材４３は幅方向に相互にスライドさせることが可能であり、スライドさせることにより、栽培容器４１の床の幅、即ち培地の幅を調節することができる。また、それぞれの容器部材の長手方向の側壁４２ｂ、４３ｂは、床４２ａ、４３ａとの成す角度が可変に取り付けられている。
【００６０】
このため、第１の実施の形態と同様に長辺側の側壁４２ｂ、４３ｂと床との成す角度を調節すると共に、第１容器部材４２と第２容器部材４３を幅方向に相互にスライドさせることにより、栽培容器４１の幅と深さを広範囲にわたって自由に調節することができ、種々の作物に容易に対応できる。なお、第１容器部材４２と第２栽培容器４３のそれぞれの内側には第１の実施の形態と同様にメッシュが張り巡らされている。
【００６１】
［２］栽培装置
次に、栽培装置について説明する。本実施の形態の栽培装置は、前記第１の実施の形態または第２の実施の形態に記載した栽培床と、栽培床を地面（土壌）から隔離する隔離手段と灌水装置を備えている。
【００６２】
図８は本実施の形態の栽培装置の構成を模式的に示す斜視図である。図８において１は栽培床であり、５１は隔離手段としての架台であり、５２は灌水装置である。
【００６３】
栽培床１は架台５１の上に設置されている。架台５１の高さは、作業がし易いように例えば上に伸びる果菜類を栽培する場合には低く設定され、根菜類や葉菜類を栽培する場合には高く設定される。
【００６４】
灌水装置５２には、トリクルパイプ（主管）５３、点滴灌水チューブ５４、架線５５、灌水装置本体５６が設けられており、トリクルパイプ５３にはバルブ５３ａが設けられ、灌水装置本体５６には液体肥料タンク５６ａ、希釈装置５６ｂ、バルブ５６ｃ、制御装置５６ｄが設けられている。
【００６５】
トリクルパイプ５３は内径が数ｃｍのパイプであって、主要部分が栽培容器床の下方に長手方向に沿って設置されている。トリクルパイプ５３の主要部分は所定の間隔、具体的には１０ｃｍの間隔で直径２ｍｍの開口が設けられ、前記開口に内径が１ｍｍ、外径が２ｍｍの点滴灌水チューブ５４が連結されている。点滴灌水チューブ５４は１本おきに交互に左右に分かれて栽培床１の側壁を外側から周り込むようにして栽培床１の上方に導かれ、他端がピアノ線等の架線５５に懸架されている。
【００６６】
トリクルパイプ５３の終端は閉じられており、他端はバルブ５３ａを介して灌水装置本体５６に連結されている。灌水装置本体５６では液体肥料タンク５６ａから液体肥料が供給され、希釈装置５６ｂでバルブ５６ｃを介して外部から取り込まれた水で希釈される。制御装置５６ｄは、バルブ５６ｃを制御して水の流量を調整し、希釈装置５６ｂを制御して液体肥料の希釈倍率を調整して養水を調製し、トリクルパイプ５３に供給する。
【００６７】
供給された養水はバルブ５３ａで所定の流量に調整され点滴灌水チューブ５４を介して栽培床１に点滴灌水される。なお、トリクルパイプ５３の太さが充分に太く設定されており、トリクルパイプ５３内での圧力損失がないため、全ての点滴灌水チューブ５４から均等に養水が点滴灌水される。
【００６８】
本実施の形態の栽培装置は、培土の幅と厚みを自由に変えることができる栽培床を用いているため、植物の種類に応じた種々のサイズの栽培床を備える必要がなく、省スペース化を図ることができる。また、栽培床の幅や深さに応じて灌水量を調節することにより、水や肥料を節約することができる。また、本実施の形態の栽培装置は、きのこ類についての栽培にも適用することができる。
【００６９】
なお、本実施の形態では、具体例として床が長方形の栽培容器について説明したが、本発明は、これに限らず、床が正方形や多角形の栽培容器についても同様に適用することができる。
【００７０】
以上、詳述したように本実施の形態によれば、栽培する作物の種類を変えたときでもスペースや養水の無駄が生じることがなく、培地の幅と厚みをいずれの作物に対しても好適な幅と厚みにすることができる栽培床および栽培装置を提供することができる。
【００７１】
なお、本発明は、上記した実施の形態に限定されるものではない。本発明と同一および均等の範囲内において、上記の実施の形態に対して種々の変更を加えることが可能である。
【符号の説明】
【００７２】
１                                            栽培床
２、４１                                      栽培容器
２ａ、４２ａ、４３ａ                          床
２ｂ、２ｃ、４２ｂ、４２ｃ、４３ｂ、４３ｃ    側壁
３                                            培土
２１                                          ワイヤー
３１                                          支柱
４２                                          第１容器部材
４３                                          第２容器部材
５１                                          架台（隔離手段）
５２                                          灌水装置
５３                                          トリクルパイプ（主管）
５３ａ、５６ｃ                                バルブ
５４                                          点滴灌水チューブ
５５                                          架線
５６                                          灌水装置本体
５６ａ                                        液体肥料タンク
５６ｂ                                        希釈装置
５６ｄ                                        制御装置
θ                                            長辺側の側壁と床が成す角度
【図１】
2014075990.tif 000003
【図２】
2014075990.tif 000004
【図３】
2014075990.tif 000005
【図４】
2014075990.tif 000006
【図５】
2014075990.tif 000007
【図６】
2014075990.tif 000008
【図７】
2014075990.tif 000009
【図８】
2014075990.tif 000010